【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】  他の装置との通信を行う通信手段を有する情報処理装置において、
前記通信手段を介して自装置と同型機種の他の情報処理装置を検索する他装置検索手段と、
該手段によって前記他の情報処理装置を検索できた場合に、その情報処理装置のソフトウェアのバージョンを検出するバージョン検出手段と、
該手段によって検出した他の情報処理装置のソフトウェアのバージョンと自装置のソフトウェアのバージョンとを比較するバージョン比較手段と、
該手段による比較の結果、自装置のソフトウェアのバージョンの方が高い場合に、前記他の情報処理装置の特定情報を通知する情報通知手段と
を設けたことを特徴とする情報処理装置。
【請求項２】  請求項１記載の情報処理装置において、
前記バージョン比較手段による比較の結果、自装置のソフトウェアのバージョンの方が高い場合に、前記情報通知手段が、アップデートすべきソフトウェアのバージョンを示す情報も通知することを特徴とする情報処理装置。
【請求項３】  請求項１又は２記載の情報処理装置において、
前記情報通知手段が、通知すべき情報を物理メディアに記録する手段であることを特徴とする情報処理装置。
【請求項４】  他の装置との通信を行う通信手段を有する情報処理装置において、
前記通信手段を介して自装置と同型機種の他の情報処理装置を検索する他装置検索手段と、
該手段によって前記他の情報処理装置を検索できた場合に、その情報処理装置のソフトウェアのバージョンを検出するバージョン検出手段と、
該手段によって検出した他の情報処理装置のソフトウェアのバージョンと自装置のソフトウェアのバージョンとを比較するバージョン比較手段と、
該手段による比較の結果、自装置のソフトウェアのバージョンの方が高い場合に、ソフトウェアのアップデートを促す情報を前記通信手段によって前記他の情報処理装置へ送信する情報送信手段と
を設けたことを特徴とする情報処理装置。
【請求項５】  請求項４記載の情報処理装置において、
前記情報送信手段が、前記バージョン比較手段による比較の結果、自装置のソフトウェアのバージョンの方が高い場合に、アップデートすべきソフトウェアのバージョンを示す情報も前記通信手段によって前記他の情報処理装置へ送信する手段を有することを特徴とする情報処理装置。
【請求項６】  請求項４又は５記載の情報処理装置を含む他の装置との通信を行う通信手段を有する情報処理装置において、
請求項４又は５記載の情報処理装置から前記情報を受信した場合に、その情報を通知する情報通知手段を設けたことを特徴とする情報処理装置。
【請求項７】  請求項６記載の情報処理装置において、
前記情報通知手段が、通知すべき情報を表示する手段であることを特徴とする情報処理装置。
【請求項８】  請求項６記載の情報処理装置において、
前記情報通知手段が、通知すべき情報を物理メディアに記録する手段であることを特徴とする情報処理装置。
【手続補正２】
【補正対象書類名】明細書
【補正対象項目名】０００４
【補正方法】変更
【補正の内容】
【０００４】
この発明は上記の点に鑑みてなされたものであり、サーバマシンとしての情報処理装置にクライアントマシンとしての情報処理装置に関する情報やソフトウェアに関する情報を入力する手間をかけなくても、またサーバマシンとしての情報処理装置にソフトウェアを送るための機能を備えていなくても、クライアントマシンとしての情報処理装置のソフトウェアを確実にアップデートできるようにすることを目的とする。
【手続補正３】
【補正対象書類名】明細書
【補正対象項目名】０００５
【補正方法】変更
【補正の内容】
【０００５】
【課題を解決するための手段】
この発明は、他の装置との通信を行う通信手段を有する情報処理装置において、上記の目的を達成するため、次のようにしたことを特徴とする。
請求項１の発明による情報処理装置は、上記通信手段を介して自装置と同型機種の他の情報処理装置を検索する他装置検索手段と、該手段によって上記他の情報処理装置を検索できた場合に、その情報処理装置のソフトウェアのバージョンを検出するバージョン検出手段と、該手段によって検出した他の情報処理装置のソフトウェアのバージョンと自装置のソフトウェアのバージョンとを比較するバージョン比較手段と、該手段による比較の結果、自装置のソフトウェアのバージョンの方が高い場合に、上記他の情報処理装置の特定情報を通知する情報通知手段とを設けたものである。
【手続補正４】
【補正対象書類名】明細書
【補正対象項目名】０００６
【補正方法】変更
【補正の内容】
【０００６】
請求項２の発明による情報処理装置は、請求項１の情報処理装置において、上記バージョン比較手段による比較結果の結果、自装置のソフトウェアのバージョンの方が高い場合に、上記情報通知手段が、アップデートすべきソフトウェアのバージョンを示す情報も通知するものである。
請求項３の発明による情報処理装置は、請求項１又は２の情報処理装置において、上記情報通知手段を、通知すべき情報を物理メディアに記録する手段としたものである。
【手続補正５】
【補正対象書類名】明細書
【補正対象項目名】０００７
【補正方法】変更
【補正の内容】
【０００７】
請求項４の発明による情報処理装置は、上記通信手段を介して自装置と同型機種の他の情報処理装置を検索する他装置検索手段と、該手段によって上記他の情報処理装置を検索できた場合に、その情報処理装置のソフトウェアのバージョンを検出するバージョン検出手段と、該手段によって検出した他の情報処理装置のソフトウェアのバージョンと自装置のソフトウェアのバージョンとを比較するバージョン比較手段と、該手段による比較結果の結果、自装置のソフトウェアのバージョンの方が高い場合に、ソフトウェアのアップデートを促す情報を上記通信手段によって上記他の情報処理装置へ送信する情報送信手段とを設けたものである。
【手続補正６】
【補正対象書類名】明細書
【補正対象項目名】０００８
【補正方法】変更
【補正の内容】
【０００８】
請求項５の発明による情報処理装置は、請求項４の情報処理装置において、上記情報送信手段に、上記バージョン比較手段による比較の結果、自装置のソフトウェアのバージョンの方が高い場合に、アップデートすべきソフトウェアのバージョンを示す情報も上記通信手段によって上記他の情報処理装置へ送信する手段を備えたものである。
請求項６の発明による情報処理装置は、請求項４又は５の情報処理装置を含む他の装置との通信を行う通信手段を有する情報処理装置において、請求項４又は５の情報処理装置から上記情報を受信した場合に、その情報を通知する情報通知手段を設けたものである。
【手続補正７】
【補正対象書類名】明細書
【補正対象項目名】０００９
【補正方法】変更
【補正の内容】
【０００９】
請求項７の発明による情報処理装置は、請求項６の情報処理装置において、上記情報通知手段を、通知すべき情報を表示する手段としたものである。
請求項８の発明による情報処理装置は、請求項６の情報処理装置において、上記情報通知手段を、通知すべき情報を物理メディアに記録する手段としたものである。
【手続補正８】
【補正対象書類名】明細書
【補正対象項目名】００４７
【補正方法】変更
【補正の内容】
【００４７】
【発明の効果】
以上説明してきたように、この発明の画像処理装置によれば、サーバマシンとして動作する情報処理装置にクライアントマシンとして動作する情報処理装置に関する情報やソフトウェアに関する情報を入力する手間をかけなくても、またサーバマシンとして動作する情報処理装置にソフトウェアを送るための機能を備えていなくても、クライアントマシンとして動作する情報処理装置のソフトウェアを確実にアップデートすることができる。